(57)【要約】【課題】床板の傾動の際に要介護者を持ち上げることなく平時のそのままの位置で要介護者を傾斜させて寝返りさせることにより、要介護者の上昇からくる不安感をなくし、介護ベッドとして最大の使用効果を発揮する介護ベッドを得る。【解決手段】ベッド幅方向に沿う半円状軌道を有する半円体２Ａ〜２Ｃを下面に突設した床板１と、半円体２Ａ〜２Ｃを円周方向に半転可能に支持して床板１を傾動可能に保持するベッド枠３とからなり、かつ床板１を駆動すると、半円体２Ａ〜２Ｃが半円状軌道により半転して床板１の床面がベッド幅方向に傾斜するようにしてなる。【選択図】　　　　図１
2004016387.tif 000002
【特許請求の範囲】
【請求項１】
ベッド幅方向に沿う半円状軌道を有する半円体を下面に突設した床板と、前記半円体を円周方向に半転可能に支持して前記床板を傾動可能に保持するベッド枠とからなり、
かつ前記床板を駆動すると、前記半円体が半円状軌道により半転して前記床板の床面がベッド幅方向に傾斜するようにしたことを特徴とする介護ベッド。
【請求項２】
半円体を、ベッド長方向の両端、中央の３ケ所に並設してこの３ケ所で床板を支持するようにしたことを特徴とする請求項１記載の介護ベッド。
【請求項３】
３個の半円体のうちの両端側の２個を、半円体外周面の左右二ケ所を下からそれぞれ支える２個の支えローラと、両支えローラの中間にあって半円体内周面を上から押える押えローラとでそれぞれ半転可能に支持するようにしたことを特徴とする請求項２記載の介護ベッド。
【請求項４】
３個の半円体のうちの中央の１個を、半円体外周に形成した歯面と、この歯面と噛み合いかつ半円体外周面の左右二ケ所にそれぞれ位置する２個の駆動歯車とで半転駆動するようにしたことを特徴とする請求項２または３記載の介護ベッド。
【請求項５】
床板の左右両端側にハネ床板をそれぞれ設け、かつ両ハネ床板は平時は床板面に対し平面状にそれぞれ固定されるが、床板が傾斜して下側になるとはね上がって上向きになるようにしたことを特徴とする請求項１〜４記載のいずれか一の介護ベッド。
【請求項６】
床板に枢支した板とハネ床板に枢支した板との両遊離端側を互いに屈曲可能に連結してなる構成の隆起床板を床板の左右両端側にそれぞれ設け、かつ両隆起床板は平時は床板面に対し平面状にそれぞれ固定されるが、床板の傾斜時に下側になるハネ床板がはね上がって上向きになるときに前記両枢支点間がせばまると隆起するようにしたことを特徴とする請求項５記載の介護ベッド。
【発明の詳細な説明】
【０００１】
【発明の属する技術分野】
この発明は介護ベッドに関し、特に介護ベッドの各種機能のうちのローリング機能、つまり介護者の寝返りを助ける寝返り支援機構を改良するものである。
【０００２】
【発明が解決しようとする課題】
従来の介護ベッドでは、その寝返り支援機構が図１１に示すように床板イをベッド幅方向に傾斜させることにより介護者ロの寝返りを助けるようになっているが、床板イが傾斜する際に床板イが平時位置から上昇して傾動するので、介護者ロは寝た状態の位置から距離ハ分持ち上げられて寝返りすることになるため、その上昇による不安感は大きく、介護ベッドとしての使用効果に欠けていた。
【０００３】
【課題を解決するための手段】
請求項１の発明に係る介護ベッドはかかる点を解消するためになされたもので、床板の傾動の際に介護者を持ち上げることなく平時のそのままの位置で介護者を傾斜させて寝返りさせることにより、介護者の上昇からくる不安感をなくし、介護ベッドとして最大の使用効果を発揮する。
【０００４】
請求項２の発明に係る介護ベッドは、半円体による床板の支持をベッド長方向の両端、中央の３ケ所とすることにより、床板が傾斜したときの床板の不安定さをなくし、介護者に安定感を与えることができる。
【０００５】
請求項３の発明に係る介護ベッドは、半円体を２個の支えローラとその中間に位置する押えローラとで挟んで支持することにより、半円体の半転軌道が定まって床板の傾動にブレ（ベッドの長手、幅方向）が生じないので、床板の傾動がスムーズかつ確実なものとなる。
【０００６】
請求項４の発明に係る介護ベッドは、半円体を２個の駆動歯車で半転駆動することにより、駆動力を受ける半円体にねじれが生じないので、スムーズな駆動が実現して騒音のない長期使用が可能になる。
【０００７】
請求項５の発明に係る介護ベッドは、床板の左右両端側にハネ床板をそれぞれ設けることにより、床板の傾斜時に下側になるハネ床板がはね上がって上向きになって介護者を下側から支えて体のズレを防ぐので、介護者の寝返りが安心かつ容易になる。
【０００８】
請求項６の発明に係る介護ベッドは、床板の左右両端側に隆起床板をそれぞれ設けることにより、床板の傾斜時に下側になるハネ床板がはね上がって上向きになるときに両枢支点間がせばまると隆起床板が隆起するので、床板が傾斜して介護者をハネ床板で下側から支える時にこの隆起床板が介護者の脇部や腰部に直に当たって支えることになって、介護者は人手により支えられる如く寝返りが打てる。
【０００９】
【発明の実施の形態】
実施の形態１．
この発明の一実施の形態を図１〜図７を用いて説明する。なお、各図中同一または相当部分には同一符号を付して説明を省略する。
【００１０】
図１はローリング機能のみを示す介護ベッドの概略図である。
図１において、１は長方形板（枠）の下面にベッド幅方向に沿う半円状軌道を有する半円体２Ａ〜２Ｃを突設した床板、３は半円体２Ａ〜２Ｃを円周方向に半転可能に支持すると共に半円体２Ａ〜２Ｃの一つを駆動して床板１を傾動可能に保持するベッド枠である。
【００１１】
図２は図１の床板１を示す図である。図面ではそのうちの一部材（一方のハネ床板）を分解して示している。
図２において、４は床板１の長方形板（枠）の左右両端側にそれぞれ設けたハネ床板で、支軸５によりそれぞれ床板１に回動可能に取り付けてある。
【００１２】
図３は図１のベッド枠３を示す図である。図面では床板１の支持手段及び駆動手段を省略している。
図３において、６はハネ床板４をはね上げ上向きにさせるガイドローラで、ベッド枠３の左右両側にそれぞれ立設してある。
【００１３】
図４は床板１の半円体２Ａを支持する支持手段を示す図である。図面では半円体２Ａについてのみ示しているが、半円体２Ｃにおいても同様の支持手段が装備されている。
図４において、７は半円体２Ａの外周面の左右二ケ所を下からそれぞれ支える２個の支えローラ、８は両支えローラ７の中間にあって半円体２Ａの内周面を上から押える押えローラである。
【００１４】
図５は床板１の半円体２Ｂを駆動する駆動手段を示す図である。
図５において、９は半円体２Ｂの外周に形成した歯面（ラック）、１０は歯面９と噛合する駆動歯車（ピニオン）で、半円体２Ｂの外周面の左右二ケ所にそれぞれ設けてある。
【００１５】
次に、図１〜図５に示す介護ベッドのローリング機能を図６、図７を用いて説明する。図６は床板１の平時状態を示す図、図７は床板１の傾斜状態、即ちローリングしたときの状態を示す図で、各図中１１は半円体２Ａ〜２Ｃの半転中心で、介護者の頭が位置するところを示している。
【００１６】
今、図６に示す床板１の平時状態において、駆動歯車１０を駆動して半円体２Ｂを矢印１２の方向に半転させて、図７に示すように床板１が所望の角度（例えば２０度）になったところで駆動歯車１０を止めると、床板１は図７に示す傾斜した状態に保持されるので、介護者の寝返りを助ける。
【００１７】
その際、床板１は傾動するが、介護者の頭の位置１１は平時状態のときと変わらず、即ち上昇しないので、介護者は平時のままの位置で寝返りすることができる。
【００１８】
また、上記実施の形態のように床板１の左右両端側にハネ床板４をそれぞれ設けておくと、床板１が傾斜したときにその下側になるハネ床板４が支軸５を支点にしてガイドローラ６によりはね上げられて上向きになるので、このハネ床板４により介護者を下側から支えて体のズレを防ぐことができ、介護者の寝返りが安心かつ容易になる。
【００１９】
なお、以上のローリング機能は床板１の左右両側において全く同様にして行われるし、ハネ床板４も下方に位置したときにガイドローラ６により左右対称的に動作して機能することは勿論である。
【００２０】
さらに、上記実施の形態では半円体２Ａ，２Ｃを図４に示すように２個の支えローラ７と押えローラ８とで挟んで支持しているので、半円体２Ａ，２Ｃの半転軌道が定まって床板１の傾動にブレ（ベッドの長手、幅方向）が生じず、床板１の傾動がスムーズかつ確実なものになる。しかしながら、図４中支えローラ７や押えローラ８の位置、数量については図示のものに限るものではないし、他の支持手段であっても良い。
【００２１】
また、上記実施の形態では半円体２Ｂを図５に示すように２個の駆動歯車１０で半転駆動しているので、駆動力を受ける半円体２Ｂにねじれが生じず、スムーズな駆動が実現して騒音のない長期使用が可能になる。しかしながら、図５中歯面９と駆動歯車１０の係合手段や駆動歯車１０の数量については図示のものに限るものではないし、他の駆動手段であっても良い。
【００２２】
実施の形態２．
この発明の他の実施の形態を図８〜図１０を用いて説明する。図８は隆起床板を備えた床板１を示す左半分の平面図、図９は床板１と隆起床板の平時状態を示す図、図１０は隆起床板が隆起した床板１の傾斜状態を示す図で、各図中前記実施の形態１と同一または相当部分には同一符号を付して説明を省略する。
【００２３】
図において、１３は床板１の左右両端側に部分的にそれぞれ設けた隆起床板で、床板１に枢支した板１３ａとハネ床板４に枢支した板１３ｂとの両遊離端側を互いに屈曲可能に連結してなるリンク状構成になっている。
【００２４】
この隆起床板１３は、介護者の脇部や腰部とに当たる位置にあれば良く、その長さや数に制限はないが、例えば図８に示すようにベッド長の中腹部を空けて二分して配置するのは、リクライニング機能の設置を考慮してのことである。
【００２５】
そして、前記実施の形態１と同様に床板１の傾斜時に下側になるハネ床板４がはね上がって上向きになるとき、図１０に示すように隆起床板１３はその両枢支点間がせばまることにより隆起して、この隆起床板１３の隆起位置がハネ床板４よりも介護者に近くなるので、この隆起床板１３により介護者の脇部や腰部を直に支えることができる。
【００２６】
この隆起床板１３は、平時の状態では図９に示すように両板１３ａ，１３ｂの各遊離端側の連結点が少しふくらむようにしておくと、後の隆起動作が確実かつ容易になって効果的である。
【００２７】
【発明の効果】
以上のように、請求項１の発明によれば床板の傾動の際に介護者を持ち上げることなく平時のそのままの位置で介護者を傾斜させて寝返りさせることができるので、介護者の上昇からくる不安感をなくし、介護ベッドとして最大の使用効果を発揮するという効果が得られる。
【００２８】
請求項２の発明によれば半円体による床板の支持をベッド長方向の両端、中央の３ケ所としたので、床板が傾斜したときの床板の不安定さがなくなり、介護者に安定感を与えることができるという効果が得られる。
【００２９】
請求項３の発明によれば半円体を２個の支えローラとその中間に位置する押えローラとで挟んで支持するので、半円体の半転軌道が定まって床板の傾動にブレ（ベッドの長手、幅方向）が生じず、床板の傾動がスムーズかつ確実なものになるという効果が得られる。
【００３０】
請求項４の発明によれば半円体を２個の駆動歯車で半転駆動するので、駆動力を受ける半円体にねじれが生じず、スムーズな駆動が実現して騒音のない長期使用が可能になるという効果が得られる。
【００３１】
請求項５の発明によれば床板の左右両端側にハネ床板をそれぞれ設けてあるので、床板の傾斜時に下側になるハネ床板がはね上がって上向きになって介護者を下側から支えて体のズレを防ぐことになり、介護者の寝返りが安心かつ容易になるという効果が得られる。
【００３２】
請求項６の発明によれば床板の左右両端側に隆起床板をそれぞれ設けることにより、床板の傾斜時に下側になるハネ床板がはね上がって上向きになるときに両枢支点間がせばまると隆起床板が隆起するので、床板が傾斜して介護者をハネ床板で下側から支える時にこの隆起床板が介護者の脇部や腰部に直に当たって支えることになって、介護者は人手により支えられる如く寝返りが打てるという効果が得られる。
【図面の簡単な説明】
【図１】この発明の実施の形態１を示す介護ベッドの概略図である。
【図２】図１の床板を示す図である。
【図３】図１のベッド枠を示す図である。
【図４】図２の床板の半円体を支持する支持手段を示す図である。
【図５】図２の床板の半円体を駆動する駆動手段を示す図である。
【図６】この発明の実施の形態１において床板の平時状態を示す図である。
【図７】この発明の実施の形態１において床板がローリングしたときの状態を示す図である。
【図８】この発明の実施の形態２を示す床板の左半分平面図である。
【図９】この発明の実施の形態２において床板の平時状態を示す図である。
【図１０】この発明の実施の形態２において床板がローリングしたときの状態を示す図である。
【図１１】従来の介護ベッドのローリング機能を説明する図である。
【符号の説明】
１　　　床板
２Ａ　　半円体
２Ｂ　　半円体
２Ｃ　　半円体
３　　　ベッド枠
４　　　ハネ床板
５　　　支軸
６　　　ガイドローラ
７　　　支えローラ
８　　　押えローラ
９　　　歯面
１０　　駆動歯車
１１　　半転中心
１３　　隆起床板
１３ａ　板
１３ｂ　板
【図１】
2004016387.tif 000003
【図２】
2004016387.tif 000004
【図３】
2004016387.tif 000005
【図４】
2004016387.tif 000006
【図５】
2004016387.tif 000007
【図６】
2004016387.tif 000008
【図７】
2004016387.tif 000009
【図８】
2004016387.tif 000010
【図９】
2004016387.tif 000011
【図１０】
2004016387.tif 000012
【図１１】
2004016387.tif 000013
【手続補正書】
【提出日】平成14年6月17日(2002.6.17)
【手続補正１】
【補正対象書類名】明細書
【補正対象項目名】全文
【補正方法】変更
【補正の内容】
【発明の詳細な説明】
【特許請求の範囲】
【請求項１】ベッド幅方向に沿う半円状軌道を有する半円体を下面に突設した床板と、前記半円体を円周方向に半転可能に支持して前記床板を傾動可能に保持するベッド枠とからなり、
かつ前記床板を駆動すると、前記半円体が半円状軌道により半転して前記床板の床面がベッド幅方向に傾斜するようにしたことを特徴とする介護ベッド。
【請求項２】半円体を、ベッド長方向の両端、中央の３ケ所に並設してこの３ケ所で床板を支持するようにしたことを特徴とする請求項１記載の介護ベッド。
【請求項３】３個の半円体のうちの両端側の２個を、半円体外周面の左右二ケ所を下からそれぞれ支える２個の支えローラと、両支えローラの中間にあって半円体内周面を上から押える押えローラとでそれぞれ半転可能に支持するようにしたことを特徴とする請求項２記載の介護ベッド。
【請求項４】３個の半円体のうちの中央の１個を、半円体外周に形成した歯面と、この歯面と噛み合いかつ半円体外周面の左右二ケ所にそれぞれ位置する２個の駆動歯車とで半転駆動するようにしたことを特徴とする請求項２または３記載の介護ベッド。
【請求項５】床板の左右両端側にハネ床板をそれぞれ設け、かつ両ハネ床板は平時は床板面に対し平面状にそれぞれ固定されるが、床板が傾斜して下側になるとはね上がって上向きになるようにしたことを特徴とする請求項１〜４記載のいずれか一の介護ベッド。
【請求項６】床板に枢支した板とハネ床板に枢支した板との両遊離端側を互いに屈曲可能に連結してなる構成の隆起床板を床板の左右両端側にそれぞれ設け、かつ両隆起床板は平時は床板面に対し平面状にそれぞれ固定されるが、床板の傾斜時に下側になるハネ床板がはね上がって上向きになるときに前記両枢支点間がせばまると隆起するようにしたことを特徴とする請求項５記載の介護ベッド。
【発明の詳細な説明】
【０００１】
【発明の属する技術分野】
この発明は介護ベッドに関し、特に介護ベッドの各種機能のうちのローリング機能、つまり要介護者の寝返りを助ける寝返り支援機構を改良するものである。
【０００２】
【発明が解決しようとする課題】
従来の介護ベッドでは、その寝返り支援機構が図１１に示すように床板イをベッド幅方向に傾斜させることにより要介護者ロの寝返りを助けるようになっているが、床板イが傾斜する際に床板イが平時位置から上昇して傾動するので、要介護者ロは寝た状態の位置から距離ハ分持ち上げられて寝返りすることになるため、その上昇による不安感は大きく、介護ベッドとしての使用効果に欠けていた。
【０００３】
【課題を解決するための手段】
請求項１の発明に係る介護ベッドはかかる点を解消するためになされたもので、床板の傾動の際に要介護者を持ち上げることなく平時のそのままの位置で要介護者を傾斜させて寝返りさせることにより、要介護者の上昇からくる不安感をなくし、介護ベッドとして最大の使用効果を発揮する。
【０００４】
請求項２の発明に係る介護ベッドは、半円体による床板の支持をベッド長方向の両端、中央の３ケ所とすることにより、床板が傾斜したときの床板の不安定さをなくし、要介護者に安定感を与えることができる。
【０００５】
請求項３の発明に係る介護ベッドは、半円体を２個の支えローラとその中間に位置する押えローラとで挟んで支持することにより、半円体の半転軌道が定まって床板の傾動にブレ（ベッドの長手、幅方向）が生じないので、床板の傾動がスムーズかつ確実なものとなる。
【０００６】
請求項４の発明に係る介護ベッドは、半円体を２個の駆動歯車で半転駆動することにより、駆動力を受ける半円体にねじれが生じないので、スムーズな駆動が実現して騒音のない長期使用が可能になる。
【０００７】
請求項５の発明に係る介護ベッドは、床板の左右両端側にハネ床板をそれぞれ設けることにより、床板の傾斜時に下側になるハネ床板がはね上がって上向きになって要介護者を下側から支えて体のズレを防ぐので、要介護者の寝返りが安心かつ容易になる。
【０００８】
請求項６の発明に係る介護ベッドは、床板の左右両端側に隆起床板をそれぞれ設けることにより、床板の傾斜時に下側になるハネ床板がはね上がって上向きになるときに両枢支点間がせばまると隆起床板が隆起するので、床板が傾斜して要介護者をハネ床板で下側から支える時にこの隆起床板が要介護者の脇部や腰部に直に当たって支えることになって、要介護者は人手により支えられる如く寝返りが打てる。
【０００９】
【発明の実施の形態】
実施の形態１．
この発明の一実施の形態を図１〜図７を用いて説明する。なお、各図中同一または相当部分には同一符号を付して説明を省略する。
【００１０】
図１はローリング機能のみを示す介護ベッドの概略図である。
図１において、１は長方形板（枠）の下面にベッド幅方向に沿う半円状軌道を有する半円体２Ａ〜２Ｃを突設した床板、３は半円体２Ａ〜２Ｃを円周方向に半転可能に支持すると共に半円体２Ａ〜２Ｃの一つを駆動して床板１を傾動可能に保持するベッド枠である。
【００１１】
図２は図１の床板１を示す図である。図面ではそのうちの一部材（一方のハネ床板）を分解して示している。
図２において、４は床板１の長方形板（枠）の左右両端側にそれぞれ設けたハネ床板で、支軸５によりそれぞれ床板１に回動可能に取り付けてある。
【００１２】
図３は図１のベッド枠３を示す図である。図面では床板１の支持手段及び駆動手段を省略している。
図３において、６はハネ床板４をはね上げ上向きにさせるガイドローラで、ベッド枠３の左右両側にそれぞれ立設してある。
【００１３】
図４は床板１の半円体２Ａを支持する支持手段を示す図である。図面では半円体２Ａについてのみ示しているが、半円体２Ｃにおいても同様の支持手段が装備されている。
図４において、７は半円体２Ａの外周面の左右二ケ所を下からそれぞれ支える２個の支えローラ、８は両支えローラ７の中間にあって半円体２Ａの内周面を上から押える押えローラである。
【００１４】
図５は床板１の半円体２Ｂを駆動する駆動手段を示す図である。
図５において、９は半円体２Ｂの外周に形成した歯面（ラック）、１０は歯面９と噛合する駆動歯車（ピニオン）で、半円体２Ｂの外周面の左右二ケ所にそれぞれ設けてある。
【００１５】
次に、図１〜図５に示す介護ベッドのローリング機能を図６、図７を用いて説明する。図６は床板１の平時状態を示す図、図７は床板１の傾斜状態、即ちローリングしたときの状態を示す図で、各図中１１は半円体２Ａ〜２Ｃの半転中心で、要介護者の頭が位置するところを示している。
【００１６】
今、図６に示す床板１の平時状態において、駆動歯車１０を駆動して半円体２Ｂを矢印１２の方向に半転させて、図７に示すように床板１が所望の角度（例えば２０度）になったところで駆動歯車１０を止めると、床板１は図７に示す傾斜した状態に保持されるので、要介護者の寝返りを助ける。
【００１７】
その際、床板１は傾動するが、要介護者の頭の位置１１は平時状態のときと変わらず、即ち上昇しないので、要介護者は平時のままの位置で寝返りすることができる。
【００１８】
また、上記実施の形態のように床板１の左右両端側にハネ床板４をそれぞれ設けておくと、床板１が傾斜したときにその下側になるハネ床板４が支軸５を支点にしてガイドローラ６によりはね上げられて上向きになるので、このハネ床板４により要介護者を下側から支えて体のズレを防ぐことができ、要介護者の寝返りが安心かつ容易になる。
【００１９】
なお、以上のローリング機能は床板１の左右両側において全く同様にして行われるし、ハネ床板４も下方に位置したときにガイドローラ６により左右対称的に動作して機能することは勿論である。
【００２０】
さらに、上記実施の形態では半円体２Ａ，２Ｃを図４に示すように２個の支えローラ７と押えローラ８とで挟んで支持しているので、半円体２Ａ，２Ｃの半転軌道が定まって床板１の傾動にブレ（ベッドの長手、幅方向）が生じず、床板１の傾動がスムーズかつ確実なものになる。しかしながら、図４中支えローラ７や押えローラ８の位置、数量については図示のものに限るものではないし、他の支持手段であっても良い。
【００２１】
また、上記実施の形態では半円体２Ｂを図５に示すように２個の駆動歯車１０で半転駆動しているので、駆動力を受ける半円体２Ｂにねじれが生じず、スムーズな駆動が実現して騒音のない長期使用が可能になる。しかしながら、図５中歯面９と駆動歯車１０の係合手段や駆動歯車１０の数量については図示のものに限るものではないし、他の駆動手段であっても良い。
【００２２】
実施の形態２．
この発明の他の実施の形態を図８〜図１０を用いて説明する。図８は隆起床板を備えた床板１を示す左半分の平面図、図９は床板１と隆起床板の平時状態を示す図、図１０は隆起床板が隆起した床板１の傾斜状態を示す図で、各図中前記実施の形態１と同一または相当部分には同一符号を付して説明を省略する。
【００２３】
図において、１３は床板１の左右両端側に部分的にそれぞれ設けた隆起床板で、床板１に枢支した板１３ａとハネ床板４に枢支した板１３ｂとの両遊離端側を互いに屈曲可能に連結してなるリンク状構成になっている。
【００２４】
この隆起床板１３は、要介護者の脇部や腰部とに当たる位置にあれば良く、その長さや数に制限はないが、例えば図８に示すようにベッド長の中腹部を空けて二分して配置するのは、リクライニング機能の設置を考慮してのことである。
【００２５】
そして、前記実施の形態１と同様に床板１の傾斜時に下側になるハネ床板４がはね上がって上向きになるとき、図１０に示すように隆起床板１３はその両枢支点間がせばまることにより隆起して、この隆起床板１３の隆起位置がハネ床板４よりも要介護者に近くなるので、この隆起床板１３により要介護者の脇部や腰部を直に支えることができる。
【００２６】
この隆起床板１３は、平時の状態では図９に示すように両板１３ａ，１３ｂの各遊離端側の連結点が少しふくらむようにしておくと、後の隆起動作が確実かつ容易になって効果的である。
【００２７】
【発明の効果】
以上のように、請求項１の発明によれば床板の傾動の際に要介護者を持ち上げることなく平時のそのままの位置で要介護者を傾斜させて寝返りさせることができるので、要介護者の上昇からくる不安感をなくし、介護ベッドとして最大の使用効果を発揮するという効果が得られる。
【００２８】
請求項２の発明によれば半円体による床板の支持をベッド長方向の両端、中央の３ケ所としたので、床板が傾斜したときの床板の不安定さがなくなり、要介護者に安定感を与えることができるという効果が得られる。
【００２９】
請求項３の発明によれば半円体を２個の支えローラとその中間に位置する押えローラとで挟んで支持するので、半円体の半転軌道が定まって床板の傾動にブレ（ベッドの長手、幅方向）が生じず、床板の傾動がスムーズかつ確実なものになるという効果が得られる。
【００３０】
請求項４の発明によれば半円体を２個の駆動歯車で半転駆動するので、駆動力を受ける半円体にねじれが生じず、スムーズな駆動が実現して騒音のない長期使用が可能になるという効果が得られる。
【００３１】
請求項５の発明によれば床板の左右両端側にハネ床板をそれぞれ設けてあるので、床板の傾斜時に下側になるハネ床板がはね上がって上向きになって要介護者を下側から支えて体のズレを防ぐことになり、要介護者の寝返りが安心かつ容易になるという効果が得られる。
【００３２】
請求項６の発明によれば床板の左右両端側に隆起床板をそれぞれ設けることにより、床板の傾斜時に下側になるハネ床板がはね上がって上向きになるときに両枢支点間がせばまると隆起床板が隆起するので、床板が傾斜して要介護者をハネ床板で下側から支える時にこの隆起床板が要介護者の脇部や腰部に直に当たって支えることになって、要介護者は人手により支えられる如く寝返りが打てるという効果が得られる。
【図面の簡単な説明】
【図１】この発明の実施の形態１を示す介護ベッドの概略図である。
【図２】図１の床板を示す図である。
【図３】図１のベッド枠を示す図である。
【図４】図２の床板の半円体を支持する支持手段を示す図である。
【図５】図２の床板の半円体を駆動する駆動手段を示す図である。
【図６】この発明の実施の形態１において床板の平時状態を示す図である。
【図７】この発明の実施の形態１において床板がローリングしたときの状態を示す図である。
【図８】この発明の実施の形態２を示す床板の左半分平面図である。
【図９】この発明の実施の形態２において床板の平時状態を示す図である。
【図１０】この発明の実施の形態２において床板がローリングしたときの状態を示す図である。
【図１１】従来の介護ベッドのローリング機能を説明する図である。
【符号の説明】
１　　　床板
２Ａ　　半円体
２Ｂ　　半円体
２Ｃ　　半円体
３　　　ベッド枠
４　　　ハネ床板
５　　　支軸
６　　　ガイドローラ
７　　　支えローラ
８　　　押えローラ
９　　　歯面
１０　　駆動歯車
１１　　半転中心
１３　　隆起床板
１３ａ　板
１３ｂ　板